(57)【要約】【課題】ステーに補強部材を取り付けた状態で、ヘッドレストのカバー内にその挿入孔から容易に挿入することができるヘッドレスト用インサート、ヘッドレスト及びその製造方法を提供する。【解決手段】ヘッドレスト用インサート２１を、ステー２２と補強部材２３とから構成する。ステー２２には２本の脚部２２ａ，２２ｂと張出部２２ｃとを形成する。補強部材２３はステー２２に対して、張出部２２ｃに沿った退避位置Ｐ１と、その反対側に突出した補強位置Ｐ２とに回動可能に取り付ける。ヘッドレスト２５の製造時には、インサート２１をそのステー２２が退避位置Ｐ１に配置された状態でカバー２６内に挿入孔２６ａ，２６ｂから挿入した後、ステー２２を退避位置Ｐ１から補強位置Ｐ２に回動させる。【選択図】　　　図８
2004057502.tif 000002
【特許請求の範囲】
【請求項１】
２本の脚部と、その両脚部間の連結部と一体に有するステーの上端部に、補強部材をステーに沿った退避位置と、そこから突出した補強位置とに移動可能に取り付けたことを特徴とするヘッドレスト用インサート。
【請求項２】
前記補強部材がステーに対して回動可能に取り付けられていることを特徴とする請求項１に記載のヘッドレスト用インサート。
【請求項３】
前記連結部が両脚部間から前方へ張り出す張出部であり、前記補強部材が張出部に沿った退避位置と、その反対側に突出した補強位置とに移動可能であることを特徴とする請求項１または請求項２に記載のヘッドレスト用インサート。
【請求項４】
前記補強部材を前記補強位置に保持するための保持手段を設けたことを特徴とする請求項１〜請求項３のうちのいずれか一項に記載のヘッドレスト用インサート。
【請求項５】
前記保持手段がステーに形成された係止部からなり、その係止部に対して前記補強部材が弾性的に係脱することを特徴とする請求項４に記載のヘッドレスト用インサート。
【請求項６】
請求項１〜請求項５のうちのいずれか一項に記載のヘッドレスト用インサートを備えたことを特徴とするヘッドレスト。
【請求項７】
請求項１〜請求項５のうちのいずれか一項に記載のヘッドレスト用インサートを、補強部材が退避位置に配置された状態でカバー内にその挿入孔から挿入し、次に補強部材を退避位置から補強位置に移動させ、その後にカバー内に発泡原料を注入して発泡体を形成することを特徴とするヘッドレストの製造方法。
【発明の詳細な説明】
【０００１】
【発明の属する技術分野】
この発明は、例えば自動車の後部座席等に取り付けられるヘッドレストに関するものであって、特に、ヘッドレスト用のインサート、そのインサートを用いたヘッドレスト、及びヘッドレストの製造方法に関するものである。
【０００２】
【従来の技術】
従来のこの種のヘッドレスト用インサート及びヘッドレストとしては、例えば特開平９−４８２７２号公報（第１従来構成）及び特開平９−２７６０７３号公報（第２従来構成）に開示されるような構成のものが知られている。
【０００３】
すなわち、第１従来構成においては、図１１及び図１２に示すように、インサート３１が中空状の金属パイプまたは充実状の金属棒を湾曲成形したステー３２から構成されている。このステー３２には、２本の脚部３２ａ，３２ｂ及びそれらの間の張出部３２ｃが形成されている。
【０００４】
そして、このインサート３１を用いてヘッドレスト３３を製造する場合には、まずインサート３１をヘッドレスト３３のカバー３４内に組み付ける。この場合には、図１１に示すように、インサート３１の一方の脚部３２ａを、カバー３４の裏面に形成された一対の挿入孔３４ａ，３４ｂのうちの一方の挿入孔３４ａから挿入して、他方の挿入孔３４ｂから外部に突出させる。これにより、インサート３１の張出部３２ｃをカバー３４内に収容配置するとともに、両脚部３２ａ，３２ｂを挿入孔３４ａ，３４ｂから外方へ突出させた組立体とする。
【０００５】
その後、前記組立体を図示しない成形型内に収容し、その状態で図示しない注入ノズルからカバー３４の下側（図１２では上側に表れている）の中央に形成された注入口３４ｃを介して、カバー３４内にポリウレタン等の発泡原料を注入する。そして、発泡原料がカバー３４内にて発泡及び膨張されて、前記成形型に従った形状の発泡体３５が形成されて、ヘッドレスト３３全体が所定の形状に成形される。
【０００６】
しかしながら、この第１従来構成においては、インサート３１の張出部３２ｃがヘッドレスト３３内の前方側に延長配置されているが、ヘッドレスト３３の後方突出部３３ａ内にはインサート３１が存在していない。このため、例えば、車両搭乗者がヘッドレスト３３の前後の底面を持って、ヘッドレスト３３の高さを調節する場合、後方突出部３３ａが変形して手が滑りやすく、高さの調節を容易に行うことができないという問題があった。
【０００７】
このような問題点に対処するため、第２従来構成のインサート３１が提案されている。すなわち、この第２従来構成においては、図１３及び図１４に示すように、インサート３１が、２本の脚部３２ａ，３２ｂ及び張出部３２ｃを有するステー３２と、そのステー３２とは別体で、そのステー３２に取り付けられる補強部材３６とから構成されている。
【０００８】
この補強部材３６は金属棒により平面形ほぼ横Ｕ字状に形成され、その両端にフック状の取付部３６ａが形成されている。そして、これらの取付部３６ａをステー３２の両脚部３２ａ，３２ｂの上端付近に形成された係合溝３２ｄに係合させることにより、補強部材３６がステー３２に対して張出部３２ｃの反対側に突出した状態で取り付けられるようになっている。
【０００９】
このような構成のインサート３１を用いてヘッドレスト３３を製造した場合には、図１３に示すように、ヘッドレスト３３の後方突出部３３ａ内に補強部材３６が延長配置される。このため、ヘッドレスト３３の高さを調節する場合、その後方突出部３３ａが変形することは少なく、高さの調節を容易に行うことができるようになる。
【００１０】
【発明が解決しようとする課題】
ところが、前記第２従来構成においては、ステー３２の両脚部３２ａ，３２ｂに補強部材３６が取り付けられて、インサート３１の上部が閉ループ状を呈している。このため、ステー３２に補強部材３６を取り付けた状態では、インサート３１をヘッドレスト３３のカバー３４内に挿入孔３４ａ，３４ｂを介して挿入することができない。よって、ステー３２及び補強部材３６を分離した状態で、カバー３４内に挿入孔３４ａ，３４ｂから別々に挿入し、それらをカバー３４内において手探りに近い状態で組み付ける必要があって、その作業が非常に面倒で手間がかかるという問題があった。
【００１１】
この発明は、このような従来の技術に存在する問題点に着目してなされたものである。その目的は、ステーに補強部材を取り付けた状態で、ステーをヘッドレストのカバー内にその挿入孔から容易に挿入することができるヘッドレスト用インサートを提供することにある。
【００１２】
この発明のその他の目的は、カバーに対するインサートの挿入組み付けを容易に行うことができて、製造コストを低減することができるヘッドレスト及びその製造方法を提供することにある。
【００１３】
【課題を解決するための手段】
上記の目的を達成するために、請求項１に記載のヘッドレスト用インサートに係る発明は、２本の脚部と、その両脚部間の連結部と一体に有するステーの上端部に、補強部材をステーに沿った退避位置と、そこから突出した補強位置とに移動可能に取り付けたことを特徴とするものである。
【００１４】
従って、この請求項１に記載の発明によれば、補強部材を退避位置に配置させた状態では、インサートがステーの形状になっていて、補強部材が突出することがない。このため、インサートをヘッドレストのカバー内にその挿入孔から容易に挿入することができる。
【００１５】
請求項２に記載の発明は、請求項１に記載の発明において、前記補強部材がステーに対して回動可能に取り付けられていることを特徴とするものである。
従って、この請求項２に記載の発明によれば、インサートをヘッドレストのカバー内に挿入した状態で、補強部材を退避位置から補強位置へ容易に回動変移させることができる。
【００１６】
請求項３に記載の発明は、請求項１または請求項２に記載の発明において、前記連結部が両脚部間から前方へ張り出す張出部であり、前記補強部材が張出部に沿った退避位置と、その反対側に突出した補強位置とに移動可能であることを特徴とするものである。
【００１７】
従って、この請求項３に記載の発明によれば、補強部材を補強位置において大きく突出させることができて、ヘッドレストの後方突出部を効果的に補強することができる。また、張出部と補強部材とにより閉ループ構造を形成できるため、インサートとしての補強機能を向上できる。
【００１８】
請求項４に記載の発明は、請求項１〜請求項３のうちのいずれか一項に記載の発明において、前記補強部材を補強位置に保持するための保持手段を設けたことを特徴とするものである。
【００１９】
従って、この請求項４に記載の発明によれば、ヘッドレストの製造過程において、補強部材を補強位置に確実に位置決め保持することができて、所定の補強効果を発揮させることができる。
【００２０】
請求項５に記載の発明は、請求項４に記載の発明において、前記保持手段がステーに形成された係止部からなり、その係止部に対して前記補強部材が弾性的に係脱することを特徴とするものである。
【００２１】
従って、この請求項５に記載の発明によれば、係止部に対して前記補強部材を弾性的に係脱させるための専用部品が不要であるため、保持手段の構成が簡単であるとともに、補強部材を補強位置に確実に係止保持することができる。
【００２２】
請求項６に記載のヘッドレストに係る発明は、前記請求項１〜請求項５のうちのいずれか一項に記載のヘッドレスト用インサートを備えたことを特徴とするものである。
【００２３】
従って、この請求項６に記載の発明によれば、ヘッドレストのカバーに対するインサートの挿入組み付けを容易に行うことができて、ヘッドレストの製造コストを低減することができる。
【００２４】
請求項７に記載のヘッドレストの製造方法に係る発明は、前記請求項１〜請求項５のうちのいずれか一項に記載のヘッドレスト用インサートを、補強部材が退避位置に配置された状態でカバー内にその挿入孔から挿入し、次に補強部材を退避位置から補強位置に移動させ、その後にカバー内に発泡原料を注入して発泡体を形成することを特徴とするものである。
【００２５】
従って、この請求項７に記載の発明によれば、前記請求項６に記載の作用と同様の作用を得ることができる。
【００２６】
【発明の実施の形態】
（第１実施形態）
以下に、この発明の第１実施形態を、図１〜図８に基づいて説明する。
【００２７】
図１〜図３に示すように、この実施形態のヘッドレスト用インサート２１は、中空状の金属パイプまたは充実状の金属棒により形成されたステー２２と、そのステー２２に取り付けられた補強部材２３とから構成されている。ステー２２には、２本の平行に延びる脚部２２ａ，２２ｂと、それらの中間に位置する連結部としての平面形ほぼ横Ｕ字状の張出部２２ｃとが一体形成されている。
【００２８】
前記補強部材２３は、金属棒により平面形ほぼ横Ｕ字状に形成され、その両端には取付軸部２３ａが外側に向かって折曲形成されている。そして、図２及び図４に示すように、これらの取付軸部２３ａがステー２２の両脚部２２ａ，２２ｂの基端（上端）付近に形成された取付孔２２ｄに挿通されている。これにより、補強部材２３がステー２２に対して、張出部２２ｃの内周に沿って延びる退避位置Ｐ１と、その張出部２２ｃと反対側に突出した補強位置Ｐ２とに回動可能になっている。なお、補強部材２３の両端は、後述するカバー２６等を引掻かないように、球面状に成形されている。
【００２９】
図４及び図５に示すように、前記ステー２２の両脚部２２ａ，２２ｂの上端内面には、保持手段としての凹溝状の係止部２４が形成されている。そして、補強部材２３は、自身の弾性に抗して狭められた状態でステー２２に支持されている。このため、補強部材２３が退避位置Ｐ１から補強位置Ｐ２に回動されたとき、補強部材２３の両端部が自身の広がろうとする弾性力により外側に拡開されて各係止部２４に係合される。この係合により、補強部材２３が補強位置Ｐ２に位置決めして係止保持されるようになっている。従って、補強部材２３は係止部２４に対して弾性的に係脱する。
【００３０】
図６に示すように、前記のような構成のインサート２１を用いて製造されたヘッドレスト２５は、インサート２１のステー２２の張出部２２ｃがヘッドレスト２５のカバー２６内の前部側に収容配置されるとともに、両脚部２２ａ，２２ｂがカバー２６外に突出配置される。また、インサート２１の補強部材２３がカバー２６内において補強位置Ｐ２に回動配置され、カバー２６内の後部側に位置する。この状態で、カバー２６内には発泡原料の注入及び発泡により、発泡体２７が充填形成される。
【００３１】
そして、このヘッドレスト２５が自動車の後部座席等に取り付けられた状態では、ヘッドレスト２５の後方突出部２５ａ内に補強部材２３が延長配置されて、その後方突出部２５ａが補強されている。このため、ヘッドレスト２５の前後底面を持って、ヘッドレスト２５の高さを調節する場合、後方突出部２５ａが変形するおそれはなく、高さの調節を容易に行うことができる。
【００３２】
次に、前記のような構成のヘッドレスト２５の製造方法について説明する。
さて、このヘッドレスト２５の製造時には、図７及び図８（ａ）に示すように、インサート２１の補強部材２３をステー２２の張出部２２ｃの内側に沿って延びる退避位置Ｐ１に配置した状態で、インサート２１をカバー２６内に挿入する。すなわち、カバー２６の裏面には一対の挿入孔２６ａ，２６ｂが所定間隔をおいて形成されるとともに、その挿入孔２６ａ，２６ｂ間には注入口２６ｃが形成されている。よって、図７に示すように、インサート２１の一方の脚部２２ａを、カバー２６の一方の挿入孔２６ａから挿入して、他方の挿入孔２６ｂから外部に突出させれば、図８（ｂ）に示すように、ステー２２の張出部２２ｃ及び補強部材２３がカバー２６内に収容配置される。
【００３３】
次いで、図８（ｃ）に示すように、カバー２６の外部から補強部材２３を持って、その補強部材２３を退避位置Ｐ１から補強位置Ｐ２に回動させる。この場合、補強部材２３をステー２２の張出部２２ｃと反対側に突出する補強位置Ｐ２まで回動させると、図４及び図５に鎖線で示すように、補強部材２３の両端部がステー２２上の係止部２４に係合されて、補強部材２３が補強位置Ｐ２に位置決め保持される。この位置決め保持状態は、補強部材２３の両端部が係止部２４に係合したときのクリック感をもって作業者に知らされる。
【００３４】
その後、ヘッドレスト２５を図示しない成形型内に収容し、その成形型の注入ノズルからカバー２６の注入口２６ｃを介して、カバー２６内にポリウレタン等の発泡原料を注入する。この状態で、図８（ｄ）に示すように、発泡原料をカバー２６内にて発泡及び膨張させて発泡体２７を形成し、ヘッドレスト２５全体を成形型に従った所定の形状に成形する。この場合、発泡体２７の発泡成形時の接着力により、補強部材２３が補強位置Ｐ２においてステー２２の両脚部２２ａ，２２ｂに対して強固に固定され、この補強位置Ｐ２の補強部材２３によってヘッドレスト２５の後方突出部２５ａが補強される。
【００３５】
従って、この実施形態によれば、以下のような効果を得ることができる。
（１）　このヘッドレスト用インサート２１においては、２本の脚部２２ａ，２２ｂと張出部２２ｃとを有するステー２２に、補強部材２３が張出部２２ｃの内側に沿った退避位置Ｐ１と、そこから突出した補強位置Ｐ２とに移動可能に取り付けられている。このため、補強部材２３を退避位置Ｐ１に移動配置させることにより、インサート２１全体がステー２２とほぼ同形状となり、補強部材２３が存在しない場合とほとんど同じ状態になる。よって、この状態でインサート２１をヘッドレスト２５のカバー２６内にその挿入孔２６ａ，２６ｂから容易に挿入することができる。
【００３６】
（２）　このヘッドレスト用インサート２１においては、前記補強部材２３がステー２２に対して回動可能に取り付けられている。このため、インサート２１をヘッドレスト２５のカバー２６内に挿入した状態で、カバー２６の外部からの操作にて、補強部材２３を退避位置Ｐ１から補強位置Ｐ２へ容易に回動変移させることができる。
【００３７】
（３）　このヘッドレスト用インサート２１においては、前記ステー２２に平面形ほぼ横Ｕ字状の張出部２２ｃが形成されている。また、補強部材２３が張出部２２ｃとほぼ同一形状に形成され、張出部２２ｃに沿った退避位置Ｐ１と、その反対側に突出した補強位置Ｐ２とに回動されるようになっている。このため、補強部材２３を補強位置Ｐ２において大きく突出させることができて、ヘッドレスト２５の後方突出部２５ａを効果的に補強することができる。
【００３８】
（４）　このヘッドレスト用インサート２１においては、ステー２２に補強部材２３を補強位置Ｐ２に係止保持するための係止部２４が設けられている。このため、保持構成が簡単であるとともに、ヘッドレスト２５の製造過程において、補強部材２３を補強位置Ｐ２に確実に位置決め保持することができて、所定の補強効果を発揮させることができる。
【００３９】
（５）　このヘッドレストの製造方法においては、前記のような構成のヘッドレスト用インサート２１を、補強部材２３が退避位置Ｐ１に配置された状態でカバー２６内にその挿入孔２６ａ，２６ｂから挿入した後、補強部材２３を退避位置Ｐ１から補強位置Ｐ２に移動させる。この状態で、カバー２６内に発泡原料を注入して発泡体２７を形成するようになっている。このため、ヘッドレスト２５のカバー２６に対するインサート２１の挿入組み付けを容易に行うことができて、ヘッドレスト２５の製造コストを低減することができる。
【００４０】
（第２実施形態）
次に、この発明の第２実施形態を、前記第１実施形態と異なる部分を中心に説明する。
【００４１】
さて、この第２実施形態においては、図９に示すように、補強部材２３が２本の金属棒により分割して形成され、それらの基端には取付軸部２３ａが折曲形成されている。そして、この取付軸部２３ａがステー２２の取付孔２２ｄに挿通されて、先端部が球面状に形成されている。これにより、各補強部材２３がステー２２に対して、張出部２２ｃの両側アーム部２２ｃ１，２２ｃ２に沿って延びる退避位置Ｐ１と、そのアーム部２２ｃ１，２２ｃ２と反対側に突出した補強位置Ｐ２とに回動可能に取り付けられている。
【００４２】
従って、この第２実施形態によれば、前記第１実施形態における（１）、（２）、（４）及び（５）に記載の効果に加えて、以下のような効果を得ることができる。
【００４３】
（６）　このヘッドレスト用インサート２１においては、前記ステー２２に平面形ほぼ横Ｕ字状の張出部２２ｃが形成されている。また、補強部材２３が２本の金属棒により形成され、張出部２２ｃの両側アーム部２２ｃ１，２２ｃ２に沿った退避位置Ｐ１と、その反対側に突出した補強位置Ｐ２とに回動されるようになっている。このため、補強部材２３を補強位置Ｐ２において大きく突出させることができて、ヘッドレスト２５の後方突出部２５ａを効果的に補強することができるばかりでなく、補強部材２３の全長が短くなって、全体の軽量化に貢献できる。
【００４４】
（第３実施形態）
次に、この発明の第３実施形態を、前記第１実施形態と異なる部分を中心に説明する。
【００４５】
さて、この第３実施形態においては、図１０に示すように、ステー２２が金属パイプから形成され、その張出部２２ｃの両側アーム部２２ｃ１，２２ｃ２の基端には引出口２２ｅが形成されている。また、補強部材２３が２本の金属棒により分割して形成され、引出口２２ｅから張出部２２ｃの両側アーム部２２ｃ１，２２ｃ２内に摺動可能に挿入組み付けされている。そして、各補強部材２３が両側アーム部２２ｃ１，２２ｃ２内に格納された退避位置Ｐ１と、そこから突出した補強位置Ｐ２とに出没移動されるようになっている。
【００４６】
従って、この第３実施形態によれば、前記第１実施形態における（１）、（４）及び（５）に記載の効果に加えて、以下のような効果を得ることができる。
（７）　このヘッドレスト用インサート２１においては、前記ステー２２に平面形ほぼ横Ｕ字状の張出部２２ｃが形成されている。また、補強部材２３が２本の金属棒により形成され、張出部２２ｃの両側アーム部２２ｃ１，２２ｃ２内に格納された退避位置Ｐ１と、そこから突出した補強位置Ｐ２とに出没移動されるようになっている。このため、補強部材２３を補強位置Ｐ２において大きく突出させることができて、ヘッドレスト２５の後方突出部２５ａを効果的に補強することができる。また、補強部材２３が張出部２２ｃの両側アーム部２２ｃ１，２２ｃ２内に格納された退避位置Ｐ１と、そこから突出した補強位置Ｐ２とに出没移動されるようになっているため、補強位置Ｐ２に配置された状態においては、その位置から動いたりすることなく確実に保持される。従って、ヘッドレスト２５の変形を抑制でき、取り扱いしやすいものとなる。
【００４７】
（変更例）
なお、この実施形態は、次のように変更して具体化することも可能である。
・　前記各実施形態において、補強部材２３を細長い金属製の板材で形成すること。
【００４８】
・　前記第１及び第２実施形態とは逆に、保持手段としてステー２２に凸状の係止部を形成するとともに、補強部材２３に係止部と係合可能な凹部を折曲形成すること。
【００４９】
・　前記第１実施形態においては、係止部２４を凹溝状にしたが、これを凹状の球面とすること。従って、この場合には、補強部材２３に対して凸状の球面を形成する必要がある。
【００５０】
【発明の効果】
以上詳述したように、この発明においては、ステーに補強部材を取り付けた状態で、ステーをヘッドレストのカバー内にその挿入孔から容易に挿入することができて、製造が容易になる等の優れた効果を発揮する。
【図面の簡単な説明】
【図１】第１実施形態のヘッドレスト用インサートを示す斜視図。
【図２】図１のインサートの平面図。
【図３】図１のインサートの側面図。
【図４】図２の一部を拡大して示す部分破断平面図。
【図５】図４の構成部分の側面図。
【図６】図１のインサートを備えたヘッドレストの部分破断斜視図。
【図７】図６のヘッドレストのカバーに対するインサートの組付方法を示す斜視図。
【図８】（ａ）（ｂ）（ｃ）（ｄ）は、それぞれ図６のヘッドレストの製造方法を説明する断面図。
【図９】第２実施形態のヘッドレスト用インサートを示す斜視図。
【図１０】第３実施形態のヘッドレスト用インサートを示す斜視図。
【図１１】従来のヘッドレストを示す部分破断斜視図。
【図１２】図１１のヘッドレストのカバーに対するインサートの組付方法を示す斜視図。
【図１３】従来のヘッドレストの別の構成を示す断面図。
【図１４】図１３のヘッドレストのインサートを拡大して示す斜視図。
【符号の説明】
２１…ヘッドレスト用インサート、２２…ステー、２２ａ，２２ｂ…脚部、２２ｃ…連結部としての張出部、２３…補強部材、２４…保持手段としての係止部、２５…ヘッドレスト、２６…カバー、２６ａ，２６ｂ…挿入孔、２７…発泡体、Ｐ１…退避位置、Ｐ２…補強位置。
【図１】
2004057502.tif 000003
【図２】
2004057502.tif 000004
【図３】
2004057502.tif 000005
【図４】
2004057502.tif 000006
【図５】
2004057502.tif 000007
【図６】
2004057502.tif 000008
【図７】
2004057502.tif 000009
【図８】
2004057502.tif 000010
【図９】
2004057502.tif 000011
【図１０】
2004057502.tif 000012
【図１１】
2004057502.tif 000013
【図１２】
2004057502.tif 000014
【図１３】
2004057502.tif 000015
【図１４】
2004057502.tif 000016